(57)【特許請求の範囲】
【請求項１】
ヒーターを有し、前方にスリット穴を設けた左右両側板と反射板により調理庫を構成した内筐体を内装した本体と、この前面本体の前面開口部を開閉する扉とさらに前記本体の調理庫を構成する反射板と遮熱板を設け、この遮熱板を覆うように前板を設け、前記前板は上部両端に曲げ部を構成し、前記左右側板のスリット部に前記前板の曲げ部を差し込み、この前板のつめ部を覆う化粧板を設けたオーブントースター。
【発明の詳細な説明】
【０００１】
【発明の属する技術分野】
本発明は、一般家庭で使用するオーブントースターに関するものである。
【０００２】
【従来の技術】
従来この種のオーブントースターは、実開昭６３−４６７１７号公報に示されているように、例えば図９のような構造になっていた。即ち、外筐体４０の内部に左右側板と反射板で構成される調理庫４１を形成し、内筐体４２としておりこの内筐体の側壁に上下ヒータ４３、４４を懸架し、かつこの上下ヒータ４３、４４の間に焼網４５を設け、内筐体４２の前側開口部を開閉する扉４６を設け、さらに扉４６下方に上下ヒータ４３、４４への通電を制御する制御部４７が取り付けられている。また、焼網４５上には加熱調理する食パン等の調理物４８が載置されている。
【０００３】
【発明が解決しようとする課題】
しかし従来の外装体の組み立ては部品点数が多く組み立てがし難いものであり、側板との段差が不均一になったりしていた。また前板の組み立ては従来のものはビス止めして組み立て、時間を要していた。また板金製の前板の樹脂製のパネルの嵌合状態が悪く誤動作していた。また最近では調理器もマイコンなども搭載し配線も複雑になりリード線処理も必要となってきた。本発明はこのような従来の問題点を解決することを目的とするものである。
【０００４】
【課題を解決するための手段】
上記目的を達成するために、本発明の手段の一つは、ヒーターを有し、前方にスリット穴を設けた左右両側板と反射板により調理庫を構成した内筐体を内装した本体と、この前面本体の前面開口部を開閉する扉とさらに前記本体の調理庫を構成する反射板と遮熱板を設け、この遮熱板を覆うように前板を設け、前記前板は上部両端に曲げ部を構成し、前記左右側板のスリット部に前記前板の曲げ部を差し込み、この前板のつめ部を覆う化粧板を設けたものであり、確実に前板をビスなしで固定できるものである。
【０００５】
【発明の実施の形態】
請求項１記載の発明は、ヒーターを有し、前方にスリット穴を設けた左右両側板と反射板により調理庫を構成した内筐体を内装した本体と、この前面本体の前面開口部を開閉する扉とさらに前記本体の調理庫を構成する反射板と遮熱板を設け、この遮熱板を覆うように前板を設け、前記前板は上部両端に曲げ部を構成し、前記左右側板のスリット部に前記前板の曲げ部を差し込み、この前板のつめ部を覆う化粧板を設けたものであり、確実に前板をビスなしで固定できるものである。
【０００６】
【実施例】
（実施例１）
本発明の第１の実施例について、図面を参照しながら説明する。図１〜図８において、１は前面側が開口した外筐体であり、２は左右側板３と反射板４からなる調理庫を形成する内筐体である。この左右側板３は周囲を縁立てしており、前面部にスリット穴３ｂを設けている。
【０００７】
６は前記内筐体の下部に設けられた前反射板である。７は前記前反射板６の前方に設けた遮熱板である。８はこの調理器具本体の前面開口部を開閉する扉である。９は調理器具本体の底部の前方より着脱自在に構成されたくず受け皿である。１０は内筐体の底部に設けた底板で両サイドをコ字状の曲げ部１０ａに構成し、上方に規制しかつ前記くず受け皿９を収納している。１１は内筐体２の上部側壁に懸架された上ヒータで遠赤外線１１ａと近赤外線のヒーター１１ｂを設けている。
【０００８】
１２は内筐体３の下部側壁に懸架された下ヒータである。１３は上ヒータ１１と下ヒータ１２間に前後にスライド自在に内筐体２に設けた焼網である。前記扉８の下部の軸を中心に回転自在に本体に取り付けられている。扉８の開閉に連動して焼網１３は前後にスライドする。
【０００９】
１４は外筐体１の前面の扉８の下方に設けられた前板であり、前板１４には電源スイッチ１５ａ、自動調理ボタン１５ｂ、ＬＥＤ１５ｃ、表示ランプ１５ｄ等の操作部１６が設けられている。
【００１０】
また調理器本体の前面開口部を覆うように化粧板２１を設けている。前板１４は全面を概略板金で構成し遮熱板７を覆うように前板１４を設けている。
【００１１】
更に前板１４は上部の両端につめ曲げ部１４ａを構成しを左右側板３のスリット部３ａに前記前板１４のつめ曲げ部１４ａを差し込み、この前板１４のつめ曲げ部１４ａを覆う化粧板２１をビスにより取りつけている。１７はパネルでこのパネルに取りつけボスに回路基板１９を取りつけている。このように構成しているため前板を化粧板によって共締めすることができ、ビスの本数も少なくて済み組み立てを簡単にすることできる。
【００１２】
（参考例１）
本発明の第１の参考例について、図面を参照しながら説明する。図１〜図８において、１は前面側が開口した外筐体であり、２は左右側板３と反射板４からなる調理庫を形成する内筐体である。
【００１３】
６は前記内筐体の下部に設けられた前反射板である。７は前記前反射板の前方に設けた遮熱板である。８はこの調理器具本体の前面開口部を開閉する扉である。９は調理器具本体の底部の前方より着脱自在に構成されたくず受け皿である。このくず受け皿は中央部にくずを受ける凹部を９ａを有している。１０は内筐体の底部に設けた底板で両サイドをコ字状の曲げ部１０ａに構成し、上方に規制しかつ前記くず受け皿９を収納している。
【００１４】
１１は内筐体２の上部側壁に懸架された上ヒータで遠赤外線１１ａと近赤外線のヒーター１１ｂを設けている。１２は内筐体３の下部側壁に懸架された下ヒータである。１３は上ヒータ１１と下ヒータ１２間に前後にスライド自在に内筐体２に設けた焼網である。前記扉８の下部の軸を中心に回転自在に本体に取り付けられている。扉８の開閉に連動して焼網１３は前後にスライドする。
【００１５】
１４は外筐体１の前面の扉８の下方に設けられた前板であり、前板１４には電源スイチ１５ａ・自動調理ボタン１５ｂ・ＬＥＤ１５ｃ．表示ランプ１５ｅ等の操作部１６が設けられている。
【００１６】
前板１４は全面を概略板金で構成し遮熱板７と回路部を覆うように前板１４を設けている。前板１４は上部両端に曲げ部１４ａを構成しを左右側板３のスリット部３ａに前記前板の曲げ部を差し込み、この前板のつめ部を覆う化粧板をビスにより取りつけている。
【００１７】
１７はパネルでこのパネルに取りつけたボス１７ａに回路基板を取りつけている。また前記前板１４は樹脂で構成したパネル１７を前面よりビス止めし、両サイドに固定用の爪１４ｂをつめ曲げして固定している。
【００１８】
本発明では前記パネル１７の両サイドにスリット穴１７ｂを設け、この爪１４ｂが挿入しやすいようにしている。
【００１９】
またパネルの中央部もスイッチ部１７ｃが浮かないように取り付け穴１７ｄを設け、このパネル１７の取り付け穴１７ｄとこの穴に対抗して前板１４も爪１４ｃを有している。
【００２０】
前記ビス止め後を前面は調理メニューゃ操作部を有したシールを設け、前記パネルに回路などの操作部や電源入、切スイッチを設けている。
【００２１】
このように構成しているため樹脂製のパネルで操作部を有するものでも確実に前板と勘合でき操作力のバラツキもなく安定した荷重が得られるものである。
【００２２】
（参考例２）
本発明の第２の参考例について、図面を参照しながら説明する。図１〜図８において、１は前面側が開口した外筐体であり、２は左右側板３と反射板４からなる調理庫を形成する内筐体である。
【００２３】
６は前記内筐体の下部に設けられた前反射板である。７は前記前反射板６の前方に設けた遮熱板である。８はこの調理器具本体の前面開口部を開閉する扉である。９は調理器具本体の底部の前方より着脱自在に構成されたくず受け皿である。１０は内筐体の底部に設けた底板で両サイドをコ字状１０ａに構成し、上方に規制しかつ前記くず受け皿９を収納している。１１は内筐体２の上部側壁に懸架された上ヒータで遠赤外線１１ａと近赤外線のヒーター１１ｂを設けている。
【００２４】
１２は内筐体３の下部側壁に懸架された下ヒータである。１３は上ヒータ１１と下ヒータ１２間に前後にスライド自在に内筐体２に設けた焼網である。前記扉８の下部の軸を中心に回転自在に本体に取り付けられている。扉８の開閉に連動して焼網１３は前後にスライドする。
【００２５】
１４は外筐体１の前面の扉８の下方に設けられた前板であり、前板１４には電源スイチ１５ａ・自動調理ボタン１５ｂ・ＬＥＤ１５ｃ．表示ランプ１５ｅ等の操作部１６が設けられている。
【００２６】
前板１４は全面を概略板金で構成し遮熱板７を覆うように前板１４を設けている。前記前板１４は上部両端に曲げ部１４ａを構成しを左右側板３のスリット部３ａに前記前板１４の曲げ部１４ｂを差し込み、この前板１４のつめ部を覆う化粧板をビスにより取りつけている。
【００２７】
１７はパネルでこのパネル１７に取りつけボス１７ａを設け回路基板１８を取りつけている。さらに前板１４は回路基板１８の下方に冷却用の開口部１４ｃを設けている。
【００２８】
また前記前板は樹脂で構成したパネルを前面よりビス止めし、両サイドをつめ曲げして固定し、本発明では前記パネルの両サイドにスリット穴を設け、このスリット穴に対抗して前板も爪を有している。
【００２９】
パネル１７には前記前板１４および前記遮熱板７が外力により移動しないようにリブ１７ｂを設けている。
【００３０】
前記ビス止め後を前面は調理メニューや操作部を有したシールを設け、前記パネルに回路などの操作部や電源入、切スイッチを設けている。
【００３１】
従ってこのように構成しているため前板の下部および遮熱板に力が加わっても変形することがない。また基板との絶縁距離も確保できるものである。
【００３２】
【発明の効果】
請求項１記載の発明によれば、ヒーターを有し、前面縁立て部に開口部を設けた左右側板と反射板により構成する調理庫を内装した調理器具本体と、前面本体の前面開口部を開閉する扉とさらに前記調理器具本体の調理庫を構成する反射板と遮熱板を設け、この遮熱板に覆われるように前板を設け、前記前板は上部両端を左右側板の開口部に前記前板の曲げ部に差し込み、この前板のつめ部を覆う化粧板を設け、確実に前板をビスなしで固定できるものである。
【図面の簡単な説明】
【図１】  本発明の一実施例におけるオーブントースターの断面図
【図２】  本発明の一実施例におけるオーブントースターの外観斜視図
【図３】  本発明の一実施例におけるオーブントースターの要部断面図
【図４】  本発明の一実施例におけるオーブントースターの前板を取り付ける前の正面図
【図５】  本発明の一実施例におけるオーブントースターの前板の図
【図６】  本発明の一実施例におけるオーブントースターの要部断面図
【図７】  本発明の一実施例におけるオーブントースターの前板の後ろから見た図
【図８】  本発明の一実施例におけるオーブントースターの要部断面図
【図９】  従来のオーブントースターの要部断面図
【符号の説明】
１      外筐体
２      内筐体
４      反射板
５      調理庫
６      前反射板
７      遮熱板
８      扉
９      くず受け皿
９ａ    凹部
１０    底板
１０ａ  コ字状曲げ部
１０ｂ  フック部
１１    上ヒーター
１２    下ヒーター
１３    焼き網
１４    前板
１６    操作部
１８    制御基板
【図１】
0003719199.tif 000002
【図２】
0003719199.tif 000003
【図３】
0003719199.tif 000004
【図４】
0003719199.tif 000005
【図５】
0003719199.tif 000006
【図６】
0003719199.tif 000007
【図７】
0003719199.tif 000008
【図８】
0003719199.tif 000009
【図９】
0003719199.tif 000010